(57)【要約】【課題】　テレコムサーバと基地局（ＣＳ）との距離を大きくできるインタフェース装置を提供する。【解決手段】　インタフェース装置であるＣＳＩＵボード２４にネットワークインタフェースカードモジュール３２を設け、ネットワーク２３を介してテレコムサーバに実装されたＮＩＣ２２に接続できるようにする。【選択図】　　　図２
2004007800.tif 000002
【特許請求の範囲】
【請求項１】
　テレコムサーバに実装され、かつ移動端末局と無線回線で接続される基地局に接続されて、前記テレコムサーバと前記移動端末局との間の通信を実現するインタフェース装置であって、前記基地局との接続距離が予め所定の値以下に制限されているインタフェース装置において、
　ネットワークインタフェースカードモジュールを設け、当該ネットワークインタフェースカードモジュールに接続されるネットワークを介して前記テレコムサーバに接続されるようにしたことを特徴とするインタフェース装置。
【請求項２】
　請求項１に記載されたインタフェース装置において、前記基地局から送られる音声データを圧縮して圧縮音声データとし前記テレコムサーバから送られる圧縮音声データを伸張して音声データとする第１の手段と、前記テレコムサーバと当該インタフェース装置の制御データをＴＣＰ／ＩＰデータフォーマットに変換する第２の手段と、前記第１及び前記第２の手段に接続されＴＣＰ／ＩＰプロトコルを実行する第３の手段とを有することを特徴とするインタフェース装置。
【発明の詳細な説明】
【技術分野】
【０００１】
　本発明は、通信システムに用いられるインタフェース装置に関し、特に、テレコムサーバと基地局（ＣＳ）とを接続する際に用いられるＣＳＩＵ（Ｃｅｌｌ　Ｓｔａｔｉｏｎ　Ｉｎｔｅｒｆａｃｅ　Ｕｎｉｔ）ボードに関する。
【背景技術】
【０００２】
　一般に、テレコムサーバ（サーバＰＣ（パーソナルコンピュータ）とＰＨＳ（Ｐｅｒｓｏｎａｌ　Ｈａｎｄｙ　Ｐｈｏｎｅ　Ｓｙｓｔｅｍ）端末とで通信を行う通信システムでは、テレコムサーバにＰＣＩ（パーソナルコンピュータインターフェース）対応のＣＳＩＵボードをインタフェース装置として実装し、このＣＳＩＵボードにＣＳを接続して、テレコムサーバとＰＨＳ端末との通信を行うようにしている。
【０００３】
　ここで、図３を参照して従来のインタフェース装置を用いた通信システムについて概説する。
【０００４】
　図示の通信システムには、テレコムサーバ１１が備えられ、このテレコムサーバ１１にはＣＳＩＵボード１２が実装されている。ＣＳＩＵボード１２には通信回線を介してＣＳ１３が接続されている。つまり、ＣＳ１３は通信エリア（セル）毎に配置されており、各ＣＳ１３はそれぞれ専用の通信回線を介してＣＳＩＵボード１２に接続されている。そして、周知のように、ＰＨＳ端末１４はＣＳ１３を介してテレコムサーバ１１と通信を行う。
【発明の開示】
【発明が解決しようとする課題】
【０００５】
　ところで、ＣＳＩＵボード１２とＣＳとの間隔（距離）は、最大で６００ｍと有限長であるため、テレコムサーバ１１から６００ｍ以上離れた地点にＣＳ１３を配置することができず、その結果、テレコムサーバ１１の通信可能範囲を広くできないという問題点がある。つまり、テレコムサーバ１１とＣＳ１３との距離は最大で６００ｍの有限長であるから、６００ｍを越える地点にＣＳ１３を配置することができず、ＣＳ１３の配置箇所が限定されてしまい、ＰＨＳ端末１４とテレコムサーバ１１との通信可能範囲を限定されてしまうという問題点がある。
【０００６】
　本発明の目的は、通信可能範囲を広く設定することのできる通信システムを構成できるインタフェース装置を提供することにある。つまり、テレコムサーバとＣＳとの最大距離が６００ｍを越えても通信可能な通信システムを構成できるインタフェース装置を提供することにある。
【課題を解決するための手段】
【０００７】
　本発明によれば、テレコムサーバに実装され、かつ移動端末局と無線回線で接続される基地局に接続されて、前記テレコムサーバと前記移動端末局との間の通信を実現するインタフェース装置であって、前記基地局との接続距離が予め所定の値以下に制限されているインタフェース装置において、ネットワークインタフェースカードモジュールを設け、当該ネットワークインタフェースカードモジュールに接続されたネットワークを介して前記テレコムサーバに接続されるようにしたことを特徴とするインタフェース装置が得られる。
【０００８】
　また、本発明によれば、上記インタフェース装置において、前記基地局から送られる音声データを圧縮して圧縮音声データとし前記テレコムサーバから送られる圧縮音声データを伸張して音声データとする第１の手段と、前記テレコムサーバとインタフェース装置の制御データをＴＣＰ／ＩＰデータフォーマットに変換する第２の手段と、前記第１及び前記第２の手段に接続されＴＣＰ／ＩＰプロトコルを実行する第３の手段とを有するインタフェース装置が得られる。
【発明の効果】
【０００９】
　本発明によれば、インタフェース装置にネットワークインタフェースカードモジュールを設けたことで、ネットワーク（イーサネット（登録商標））を介してテレコムサーバにインタフェース装置を接続することができ、これによりインタフェース装置と基地局との接続距離が所定値以下に制限されている場合でも、テレコムサーバと基地局との距離をその所定値以上にすることができるという効果がある。
【発明を実施するための最良の形態】
【００１０】
　以下、本発明について図面を参照して説明する。
【００１１】
　図１を参照して、図示の通信システムは、テレコムサーバ２１を備えており、このテレコムサーバ２１にはネットワークアダプタとして用いられるＮＩＣ（Network Interface Card）２２が実装されている。そして、このＮＩＣ２２はイーサネット（登録商標）２３を介してインタフェース装置であるＣＳＩＵボード２４に接続され、ＣＳＩＵボード２４にはそれぞれ専用通信回線を介してＣＳ２５が接続されており、ＰＨＳ端末２６は、後述するようにして、ＣＳ２５を介してテレコムサーバ２１と通信を行う。なお、図示のように、ＣＳＩＵボード２４はクライアントマシン（クライアントＰＣ）２７に実装されている。
【００１２】
　ここで、図２を参照して、ＣＳＩＵボード２４は、ＣＳＩＵハードウェアモジュール３１、ＮＩＣハードウェアモジュール３２、ＣＳＩＵ制御モジュール３３、音声データ圧縮モジュール３４、ＲＳＶＰ（Resource reSerVation Protocol（帯域予約プロトコル））モジュール３５、ＴＣＰ（Transmission Control Protocol）／ＩＰ（Internet Protocol）モジュール３６、及びＰＣＩインタフェース３７を備えている。そして、ＣＳＩＵハードウェアモジュール３１はＣＳ２５に接続され、ＮＩＣハードウェアモジュール３２はＮＩＣ２２に接続されている。また、ＰＣＩインタフェース３７はクライアントマシン２７に接続されている。
【００１３】
　ここで、図１及び図２を参照して、いま、ＰＨＳ端末２６からテレコムサーバ２１に通信を行う際、ＰＨＳ端末２６からはＣＳＩＵ制御データ及び音声信号（音声データ）が送られる。そして、これらＣＳＩＵ制御データ及び音声データはＣＳ２５を介してＣＳＩＵハードウェアモジュール３１に与えられる。ＣＳＩＵハードウェアモジュール３１はＣＳ２５とＣＳＩＵボード２４とのインタフェースとして機能しており、ＣＳＩＵハードウェアモジュール３１では、ＣＳＩＵ制御データ及び音声データを認識して、ＣＳＩＵ制御データをＣＳＩＵ制御モジュール３３に与え、音声データを音声データ圧縮モジュール３４に与える。
【００１４】
　ＣＳＩＵ制御モジュール３３にはＣＳＴＰ（Communication Station Transmission Protocol）が設定されており、ＣＳＩＵ制御モジュール３３はＣＳＴＰに基づいてＣＳＩＵ制御データをインターネットに適用するためにＴＣＰ／ＩＰデータフォーマットに変換して（パケット化し）、制御系データとする。
【００１５】
　一方、音声データは、音声データ圧縮モジュール３４において、音声圧縮された後（圧縮音声データ）、ＲＳＶＰモジュール３５に送られる。ＲＳＶＰモジュール３５では、音声の品質を高めるため、帯域予約を行っており、つまり、予め音声用の帯域を確保しておき、これによって、遅延・損失等の品質低下を防止している。
【００１６】
　上述の制御系データ及び圧縮音声データはＴＣＰ／ＩＰモジュール３６で制御／音声データパケットとされ、ＮＩＣハードウェアモジュール３２に送られる。ＮＩＣハードウェアモジュール３２はＮＩＣ２２とＣＳＩＵボード２４とのインタフェースとして機能しており、制御／音声データパケットはＮＩＣハードウェアモジュール３２を介してイーサネット（登録商標）２３上に送出される。そして、制御／音声データパケットはテレコムサーバ２１で受信されることになる。
【００１７】
　ところで、図１には示されていないが、イーサネット（登録商標）２３には複数のテレコムＰＣ（クライアントマシンを含む）が接続されており、制御／音声データパケットに含まれるアドレス（番号）に基づいて当該制御／音声データパケットが特定のテレコムサーバ２１によって受信される。
【００１８】
　テレコムサーバ２１からＰＨＳ端末２６に通信を行う際には、テレコムサーバ２１から制御／音声データが送られる。そして、これら制御／音声データはＮＩＣハードウェアモジュール３２を介してＴＣＰ／ＩＰモジュール３６に与えられる。ＴＣＰ／ＩＰモジュール３６では制御／音声データを制御系データと音声データとし、制御系データをＣＳＩＵ制御モジュール３３に与え、音声データをＲＳＶＰモジュール３５を介して音声データ圧縮モジュール３４に与える。
【００１９】
　ＣＳＩＵ制御モジュール３３ではＣＳＴＰに基づいて制御系データをＴＣＰ／ＩＰデータフォーマットに変換してＣＳＩＵ制御データとし、ＣＳＩＵハードウェアモジュール３１に与える。また、音声データ圧縮モジュール３４では音声データを伸張して伸張音声データとしてＣＳＩＵハードウェアモジュール３１に与える。これらＣＳＩＵ制御データ及び伸張音声データはＣＳＩＵハードウェアモジュール３１からＣＳ２５を介してＰＨＳ端末２６に送信される。
【００２０】
　なお、テレコムサーバ２１及びイーサネット（登録商標）２３上の他のクライアントマシンとクライアントマシン２７とが通信を行う際には、ＮＩＣハードウェアモジュール３２及びＰＣＩインタフェースを３７を介して通信を行うことができる。また、クライアントマシン２７はＰＣＩインタフェースを３７を介してＣＳＩＵハードウェアモジュール３１及びＮＩＣハードウェアモジュール３２を初期設定することができる。
【００２１】
　このように、図１及び図２に示す例では、ＣＩＳＵボードにネットワークとのインタフェース機能をもたせ、ネットワークを介してテレコムサーバとＣＩＳＵボードとを接続するようにしたから、ＣＩＳＵボードとＣＳとの距離が所定値以下に制限されている場合であっても、テレコムサーバとＣＳとの距離をその所定値よりも長くすることができる。
【図面の簡単な説明】
【００２２】
【図１】本発明によるインタフェース装置を用いた通信システムの一例を示す図である。
【図２】図１に示すインタフェース装置（ＣＳＩＵボード）の構成を示す図である。
【図３】従来のインタフェース装置を用いた通信システムを示す図である。
【符号の説明】
【００２３】
　１１，２１　テレコムサーバ
　１２，２４　ＣＳＩＵボード
　１３，２５　基地局（ＣＳ）
　１４，２６　ＰＨＳ端末
　２２　ＮＩＣ
　２３　イーサネット（登録商標）
　２７　クライアントマシン
　３１　ＣＳＩＵハードウェアモジュール
　３２　ＮＩＣハードウェアモジュール
　３３　ＣＳＩＵ制御モジュール
　３４　音声データ圧縮モジュール
　３５　ＲＳＶＰモジュール
　３６　ＴＣＰ／ＩＰモジュール
　３７　ＰＣＩインタフェース
【図１】
2004007800.tif 000003
【図２】
2004007800.tif 000004
【図３】
2004007800.tif 000005